(57)【要約】【課題】広告媒体や学習教材としての機能を備えた水に浮かぶ表示媒体の提供を図る。【解決手段】本発明の水に浮かぶ表示媒体１０は、所定の面積及び厚み寸法を有して、表面２１と裏面２２が閉塞される筒状空洞体２０の空洞内裏面２２偏心位置にバランスウエイト２３が配設されて成ると共に、表面２１と裏面２２とに相互に関連する情報３０が表記されて成り、水中Ｗにおいてバランスウエイト２３の偏心浮力差によって常に表面２１が上方を向いた状態で浮上する手段を採る。【選択図】図１
2018180205.tif 000002
【特許請求の範囲】
【請求項１】
水に浮かぶ表示媒体であって、
前記表示媒体は、所定の面積及び厚み寸法を有して、表面と裏面が閉塞される筒状空洞体の空洞内裏面偏心位置にバランスウエイトが配設されて成ると共に、前記表面と裏面とに相互に関連する情報が表記されて成り、
水中おいて前記バランスウエイトの偏心浮力差によって常に表面が上方を向いた状態で浮上することを特徴とする水に浮かぶ表示媒体。
【請求項２】
前記情報が、漢字、ひらがな、カタカナ、数字、英字、数式、画像、絵柄、模様、色彩、かるた、占いの何れかまたはその組み合わせによって構成されることを特徴とする請求項１記載の水に浮かぶ表示媒体。
【請求項３】
前記表示媒体における表面または裏面のいずれか一方若しくは両方の外周縁部の所定箇所に、前記情報が表記された複数の表示板を係止・収納することができる係止・収納手段が設けられて成ることを特徴とする請求項１または請求項２記載の水に浮かぶ表示媒体。
【発明の詳細な説明】
【技術分野】
【０００１】
本発明は、広告媒体や学習教材としての機能を備えた水に浮かぶ表示媒体に関する。
【背景技術】
【０００２】
従来より提供されている水に浮ぶ遊戯玩具としては、只単に内部に水を収容した密閉容器内に玩具本体を浮遊させて、揺らしたり、転がしたりして遊ぶ魚類、貝類、甲殻類、動物等を模した比重の軽いプラスチック材料で形成されたものが知られている。また、水面に浮くだけでなく、何らかの動力を駆使して水中を自由に遊泳する浮遊性水中玩具や、複数の独立気泡樹脂板を多層に重ね合わせ、これら独立気泡樹脂板の層間に錘部材を挾持させ、これらを一体に接合してなる浮遊性水中玩具などがある。
一方、商業用の浮遊性水中用品としては、デパートや各種店舗、事務所、イベント会場において、商品等の品物をディスプレイ用の棚や台等に並べて置いたり、或いはショウウインドウに置いたりして、来客等が品物を自由に見られるようになっている浮遊性水中商品が多種多様の形態で提供されている。
【０００３】
上記における水に浮ぶ玩具の具体的な提案としては、例えば、変化性や意外性を高めてディスプレイ効果の大幅な向上を図れ、然も、水やお湯の中に入れて遊べるようにした「展示具」（特許文献１）や、玩具本体が容器内の中央に常に浮遊するようにし、装飾品として飾っておいたり、販売の目的で店に陳列しておくような場合にも体裁が良く、さらに容器を素早く揺らしたり、転がしたりしても、玩具本体が正姿勢に復帰するのに時間がかかることなく、しかも飾っておいたり、陳列しておくような場合にも、容器の転がりが制限され、飾り易く、陳列棚から落下することがなく、取り扱い易い「浮遊玩具」（特許文献２）が提案され、公知技術となっている。
【０００４】
しかしながら、かかる「展示具」ならびに「浮遊玩具」の提案は、単に遊戯具として及び展示物としての特性を有しているに留まるものであり、教材や広告媒体としての機能を有するものではなかった。
【０００５】
また、水面に浮くだけでなく、水中に浮かぶことができる「浮遊性水中玩具」（特許文献３）や、魚類、貝類、甲殻類、その他各種のキャラクタおよび玩具類等に模した形状を表す独立気泡樹脂材料を使用して構成したものからなり、所要の錘を付与することにより水底にほぼ当接しかつ浮力とのバランス関係において揺動変位可能に起立し得るきわめて簡単な構成でしかも興趣に富んだ「浮遊性水中玩具」（特許文献４）が提案され、公知技術となっている。
【０００６】
しかしながら、かかる「浮遊性水中玩具」などの提案は、単に水中に浮かぶ玩具としての機能に留まるものであった。
【０００７】
本出願人は、従来の水中玩具が遊戯性や鑑賞性を有しているに留まっている実情に着目し、従来の遊戯性や鑑賞性に加えて、広告媒体や学習教材としての機能を備えることができないものかという着想の下、広告媒体や学習教材としての機能を備えた表示媒体を開発し、本発明における「水に浮かぶ表示媒体」の提案に至るものである。
【先行技術文献】
【特許文献】
【０００８】
【特許文献１】実用新案登録第３０５０５７１号公報
【特許文献２】特開２００６−１８０９１１号公報
【特許文献３】特開２０１２−０７５６６８号公報
【特許文献４】特開平０８−０８９６６５号公報
【発明の概要】
【発明が解決しようとする課題】
【０００９】
本発明は、上記問題点に鑑み、広告媒体や学習教材としての機能を備えた水に浮かぶ表示媒体を提供することを課題とするものである。
【課題を解決するための手段】
【００１０】
上記課題を解決するため、本発明は、水に浮かぶ表示媒体であって、所定の面積及び厚み寸法を有して、表面と裏面が閉塞される筒状空洞体の空洞内裏面偏心位置にバランスウエイトが配設されて成ると共に、前記表面と裏面とに相互に関連する情報が表記されて成り、水中において前記バランスウエイトの偏心浮力差によって常に表面が上方を向いた状態で浮上する手段を採る。
【００１１】
また、本発明は、前記情報が、漢字、ひらがな、カタカナ、数字、英字、数式、画像、絵柄、模様、色彩、かるた、占いの何れかまたはその組み合わせによって構成される手段を採る。
【００１２】
さらに、本発明は、前記表示媒体における表面または裏面のいずれか一方若しくは両方の外周縁部の所定箇所に、前記情報が表記された複数の表示板を係止・収納することができる係止・収納手段が設けられて成る手段を採る。
【発明の効果】
【００１３】
本発明にかかる水に浮かぶ表示媒体によれば、企業紹介パンフレットや名刺的な使用方法に加え、観光案内等の営業広告媒体としても使用することが可能となるもので、例えば、温泉施設において、表面に観光名所の写真を表示し、裏面にその名称や地図を表示することで、その観光地への興味を掻き立てることが可能となる、といった優れた効果を奏する。
【００１４】
また、本発明にかかる水に浮かぶ表示媒体によれば、文字や絵柄を使って児童教育用の教材として使用したり、クイズやなぞなぞ等の遊戯性を持った学習要領にも使用したりすることで、子供から大人まで幅広い年齢層に亘って楽しむことができる、といった優れた効果を奏する。
【図面の簡単な説明】
【００１５】
【図１】本発明にかかる水に浮かぶ表示媒体の第一の実施形態を示す説明図である。（実施例１）
【図２】本発明にかかる水に浮かぶ表示媒体の第二の実施形態を示す説明図である。（実施例２）
【図３】本発明にかかる水に浮かぶ表示媒体の第三の実施形態を示す説明図である。（実施例３）
【発明を実施するための形態】
【００１６】
本発明は、水に浮かぶ表示媒体１０であって、所定の面積及び厚み寸法を有して、表面２１と裏面２２が閉塞される筒状空洞体２０の空洞内裏面２２の偏心位置にバランスウエイト２３が配設されて成ると共に、表面２１と裏面２２とに相互に関連する情報３０が表記されて成る手段を採ったことを最大の特徴とする。
以下、本発明にかかる水に浮かぶ表示媒体１０の実施形態を、図面に基づいて説明する。
【００１７】
尚、本発明にかかる水に浮かぶ表示媒体１０は、以下に述べる実施例に限定されるものではなく、本発明の技術的思想の範囲内、すなわち同一の作用効果を発揮できる形状や寸法等の範囲内で、適宜変更することができる。
【実施例１】
【００１８】
図1は、本発明の水に浮かぶ表示媒体１０の第一の実施形態を示す説明図であり、（ａ）は表示媒体１０を表面２１から見た全体斜視図、（ｂ）は表示媒体１０を裏面２２から見た全体斜視図、（ｃ）は表示媒体１０の縦断面図である。
本実施形態にかかる水に浮かぶ表示媒体１０は、所定の面積及び厚み寸法を有して、表面２１と裏面２２が閉塞される筒状空洞体２０の空洞内裏面偏心位置にバランスウエイト２３が配設されて成ると共に、表面２１と裏面２２とに相互に関連する情報３０が表記された構成となっている。
【００１９】
筒状空洞体２０は、合成樹脂、発泡樹脂、木材、金属、防水性紙等の素材で形成され、表面２１と裏面２２が閉塞且つ密閉されて内部に筒状の空洞が形成された水に浮かぶ箱体である。よって、筒状空洞体２０の形状は、図示のように円形の形状に留まらず、星形、四角形、三角形、花形、動物形など多種多様の形状に形成することができる。
【００２０】
バランスウエイト２３は、筒状空洞体２０の空洞内裏面偏心位置に配設されて、該バランスウエイト２３の偏心浮力差によって、水中Ｗおいて常に表面２１が上方を向いた状態で浮上する役目を果たす。
【００２１】
情報３０は、筒状空洞体２０の表面２１と裏面２２とに相互に関連させて表記されるもので、漢字やひらがな３０ａ、カタカナ３０ｂ、数字３０ｃ、英字３０ｅ、数式３０ｄ、画像、絵柄３０ｆ、模様、色彩等から成る。
【００２２】
図１（ｄ）は、本実施形態にかかる水に浮かぶ表示媒体１０の使用状態図である。
水に浮かぶ表示媒体１０の比重とバランスウエイト２３の偏心浮力差によって、水中Ｗおいて常に表面２１が上方を向いた状態で浮上するもので、該表示媒体１０の一端を指で上方から押し込むことによって、表面２１と裏面２２がひっくり返って裏面２２に表示されている情報３０が一時的に認識可能な状態で使用される。
【００２３】
以上で構成される本実施形態にかかる水に浮かぶ表示媒体１０は、企業紹介パンフレットや名刺的な使用方法に加え、観光案内等の営業広告媒体としても使用することが可能となるもので、例えば、温泉施設において、表面２１に観光名所の写真を表示し、裏面２２にその名称や地図を表示することで、その観光地への興味を掻き立てることができると共に、文字や絵柄３０ｆを使って児童教育用の教材として使用したり、クイズやなぞなぞ等の遊戯性を持った学習要領にも使用したりすることで、子供から大人まで幅広い年齢層に亘って楽しむことが可能な表示媒体１０の提供を可能にする。
【実施例２】
【００２４】
本発明にかかる水に浮かぶ表示媒体１０の第二の実施形態について、図２を用いて説明する。上記実施例１と同様の部分は省略する。
本実施形態にかかる水に浮かぶ表示媒体１０は、表面２１と裏面２２に表記される情報３０として、漢字やひらがな３０ａ、カタカナ３０ｂ、数字３０ｃ、英字３０ｅ、数式３０ｄ、画像、絵柄３０ｆ、模様、色彩、かるた、占い３０ｇの何れかまたはその組み合わせによって構成される手段を採用するものである。
【００２５】
情報３０は、上記の通り漢字やひらがな３０ａ、カタカナ３０ｂ、数字３０ｃ、英字３０ｅ、数式３０ｄ、画像、絵柄３０ｆ、模様、色彩、かるた、占い３０ｇ等によって構成され、広告媒体や学習教材としての使用目的に合わせて表面２１ならびに裏面２２に関連させて表示される。
【００２６】
水に浮かぶ表示媒体１０における表面２１と裏面２２に表記される情報３０の具体的な実施例について、下記に示す。
図２（ａ）は、表示される情報３０がひらがな３０ａとカタカナ３０ｂで構成される使用例である。幼稚園の児童教育用に使われるもので、五十音国語学習用としてプールや浴槽等で遊びながら学習することができる。
《使用例》
（１）大人が「あ」はどれ？と子供に問いかける。
（２）子供が表面２１に「あ」が表記された表示媒体１０を指さす。合っている場合は褒める。
（３）子供が表示媒体１０を裏返すと、裏面２２に表記されたカタカナの「ア」が見えることで、子供は、ひらがなの「あ」とカタカナの「ア」を理解する。
【００２７】
図２（ｂ）は、表示される情報３０が数字３０ｃと数式３０ｄで構成される使用例である。低学年の生徒教育用に使われるもので、足し算、引き算などの算数学習用としてプールやお風呂等で遊びながら学習することができる。
《使用例》
（１）子供が表面２１に「１＋１」が表記された表示媒体１０を見て、頭の中で暗算を行う。
（２）暗算後に子供が表示媒体１０を裏返し、裏面２２に表記された正解の「２」を確認し、子供は、「１+１」が「２」であることを理解する。
【００２８】
図２（ｃ）は、絵柄３０ｆとその呼び名（ひらがな３０ａ）で構成される使用例である。
《使用例》
（１）大人が「ねこちゃん」はどれ？と子供に問いかける。
（２）子供が表面２１に「ねこちゃん」が表記された表示媒体１０を指さす。合っている場合は褒める。
（３）大人が「ねこちゃん」ってどう書くの？と子供に問いかける。子供が表示媒体１０を裏返し、裏面２２に表記された正解の「ねこ」が見えることで、子供は、「ねこ（絵柄）」が「ねこ」であることを理解する。
【００２９】
図２（ｄ）は、表示される情報３０が英字３０ｅとカタカナ３０ｂで構成される使用例である。
《使用例》
（１）子供が表面２１に「Ａ」が表記された表示媒体１０を見て、頭の中でその読み方を考える。
（２）考えた後に子供が表示媒体１０を裏返し、裏面２２に表記された正解の「エー」を確認し、子供は、「Ａ」が「エー」と読むことを理解する。
【００３０】
図２（ｅ）は、表示される情報３０が案内文字３０ｈと画像３０ｊで構成される使用例である。旅館の温泉浴槽等に浮かべて、泊り客の観光ガイド案内グッズとして利用することができる。
【００３１】
図２（ｆ）は、表示される情報３０が占い３０ｇと文字３０ｋで構成される使用例である。形状や色彩を多様に変えた水に浮かぶ表示媒体１０を旅館の温泉浴槽等に浮かべて、泊り客の旅の思い出として利用することができる。
【実施例３】
【００３２】
本発明にかかる水に浮かぶ表示媒体１０の第三の実施形態について、図３用いて説明する。上記実施例１及び２と同様の部分は省略する。
本実施形態にかかる水に浮かぶ表示媒体１０は、該表示媒体１０における表面２１または裏面２２のいずれか一方若しくは両方の外周縁部の所定箇所に、情報３０が表記された複数の表示板２４を係止・収納することができる係止・収納手段２５が設けられて成る手段を採用するものである。
【００３３】
表示板２４は、表示媒体１０（筒状空洞体２０）の外周縁内に収まる薄板状に形成されており、該表示板２４の表面または裏面のいずれか一方若しくは両方には情報３０が表記されている。
【００３４】
係止・収納手段２５の具体的構造については、特に限定するものではなく、例えば図示した様なクリップ式や嵌め込み式、マグネットシート式等の手段によって構成することができる。
【００３５】
図３（ａ）は、係止・収納手段２５としてクリップ式を採用した場合の実施形態を示す。かかるクリップ式の係止・収納手段２５は、表示媒体１０における外周縁部に設けられる。
表示板２４がクリップ２５ａで以って挟持されることで、複数の表示板２４を筒状空洞体２０の表面２１と裏面２２とで係止・収納することができる構造となっている。尚、クリップ２５ａは内方へ付勢されていることが好ましく、それにより表示板２４の挟持枚数が少なくなっても、クリップ２５ａの挟持力が緩んで表示板２４がバラバラに外れること無く、常に確実に係止・収納された状態を維持することができる。
【００３６】
図３（ｂ）は、係止・収納手段２５として嵌め込み式を採用した場合の実施形態を示す。かかる嵌め込み式の係止・収納手段２５は、表示媒体１０における外周縁部に設けられる。
表示板２４が外周縁突起２５ｂで以って嵌着されることで、複数の表示板２４を単純かつ安全な構造で係止・収納することができる。
【００３７】
図３（ｃ）は、係止・収納手段２５がマグネットシート式における実施形態を示す。かかるマグネットシート式の係止・収納手段２５は、表示媒体１０の表面２１並びに裏面２２、そして表示板２４自体をマグネットシートにより成形することで達成し得る。
表示板２４がマグネットシート２５ｃの磁力で以って磁着することで、複数の表示板２４を着脱自在に係止・収納することができる。
【産業上の利用可能性】
【００３８】
本発明は、従来の展示物や水中に浮かぶ玩具としての機能に留まらず、商業用の広告媒体や学習教材としての機能も備えるものである。したがって、本発明にかかる「水に浮かぶ表示媒体」の産業上の利用可能性は、極めて大であるものと思料する。
【符号の説明】
【００３９】
１０    表示媒体
２０    筒状空洞体
２１    表面
２２    裏面
２３    バランスウエイト
２４    表示板
２５    係止・収納手段
２５ａ  クリップ
２５ｂ  外周縁突起
２５ｃ  マグネットシート
３０    情報
３０ａ  ひらがな
３０ｂ  カタカナ
３０ｃ  数字
３０ｄ  数式
３０ｅ  英字
３０ｆ  絵柄
３０ｇ  占い
３０ｈ  案内文字
３０ｊ  画像
３０ｋ  文字
Ｗ    水中
【図１】
2018180205.tif 000003
【図２】
2018180205.tif 000004
【図３】
2018180205.tif 000005
【手続補正書】
【提出日】平成29年9月14日(2017.9.14)
【手続補正１】
【補正対象書類名】特許請求の範囲
【補正対象項目名】請求項１
【補正方法】変更
【補正の内容】
【請求項１】
水に浮かぶ表示媒体であって、
前記表示媒体は、所定の面積及び厚み寸法を有して、表面と裏面が閉塞される筒状空洞体の空洞内裏面における当該裏面の中心を除く偏心位置にバランスウエイトが配設されて成ると共に、前記表面と裏面とに相互に関連する情報が表記されて成り、
水中おいて前記バランスウエイトの偏心浮力差によって常に表面が上方を向いた状態で浮上することを特徴とする水に浮かぶ表示媒体。
【手続補正２】
【補正対象書類名】明細書
【補正対象項目名】００１０
【補正方法】変更
【補正の内容】
【００１０】
上記課題を解決するため、本発明は、水に浮かぶ表示媒体であって、所定の面積及び厚み寸法を有して、表面と裏面が閉塞される筒状空洞体の空洞内裏面における当該裏面の中心を除く偏心位置にバランスウエイトが配設されて成ると共に、前記表面と裏面とに相互に関連する情報が表記されて成り、水中において前記バランスウエイトの偏心浮力差によって常に表面が上方を向いた状態で浮上する手段を採る。
【手続補正３】
【補正対象書類名】明細書
【補正対象項目名】００１６
【補正方法】変更
【補正の内容】
【００１６】
本発明は、水に浮かぶ表示媒体１０であって、所定の面積及び厚み寸法を有して、表面２１と裏面２２が閉塞される筒状空洞体２０の空洞内裏面２２における当該裏面２２の中心を除く偏心位置にバランスウエイト２３が配設されて成ると共に、表面２１と裏面２２とに相互に関連する情報３０が表記されて成る手段を採ったことを最大の特徴とする。
以下、本発明にかかる水に浮かぶ表示媒体１０の実施形態を、図面に基づいて説明する。
【手続補正４】
【補正対象書類名】明細書
【補正対象項目名】００１８
【補正方法】変更
【補正の内容】
【００１８】
図1は、本発明の水に浮かぶ表示媒体１０の第一の実施形態を示す説明図であり、（ａ）は表示媒体１０を表面２１から見た全体斜視図、（ｂ）は表示媒体１０を裏面２２から見た全体斜視図、（ｃ）は表示媒体１０の縦断面図である。
本実施形態にかかる水に浮かぶ表示媒体１０は、所定の面積及び厚み寸法を有して、表面２１と裏面２２が閉塞される筒状空洞体２０の空洞内裏面２２における当該裏面２２の中心を除く偏心位置にバランスウエイト２３が配設されて成ると共に、表面２１と裏面２２とに相互に関連する情報３０が表記された構成となっている。
【手続補正５】
【補正対象書類名】明細書
【補正対象項目名】００２０
【補正方法】変更
【補正の内容】
【００２０】
バランスウエイト２３は、筒状空洞体２０の空洞内裏面２２における当該裏面２２の中心を除く偏心位置に配設されて、該バランスウエイト２３の偏心浮力差によって、水中Ｗおいて常に表面２１が上方を向いた状態で浮上する役目を果たす。